(57)【要約】【課題】車検日が過ぎる前に所有者に車検日を確実に知らせることができる、車検管理システムを提供する。【解決手段】電子化された車両（１）の車検証情報を格納する情報記憶手段（１０）と、車両（１）に搭載され、情報記憶手段（１０）に格納された車検証情報を読み取る読み取り手段（４）と、車両（１）に搭載され、読み取り手段（４）によって読み取られた車検証情報を車両の所有者に報知する報知手段（７）とを有する。【選択図】図１
2015134532.tif 000002
【特許請求の範囲】
【請求項１】
電子化された車両の車検証情報を格納する情報記憶手段と、
前記車両に搭載され、前記情報記憶手段に格納された前記車検証情報を読み取る読み取り手段と、
前記車両に搭載され、前記読み取り手段によって読み取られた前記車検証情報を前記車両の所有者に報知する報知手段と、を有することを特徴とする車検管理システム。
【請求項２】
前記車両は、外部と通信を行う通信手段を有し、
前記車両の所有者に保有され、前記通信手段により送信された前記車検証情報に含まれる車検日情報を受信し、前記所有者に前記車検日を通知する通信端末を有する、請求項１記載の車検管理システム。
【請求項３】
前記車両は、外部と通信を行う通信手段を有し、
該通信手段から送信された前記車検証情報を受信し、前記所有者が保有する通信端末に、受信した車検日情報を送信する情報管理手段を有し、
前記通信端末は、前記情報管理手段により送信された前記車検日情報を受信し、前記所有者に前記車検日を通知する、請求項１又は２記載の車検管理システム。
【請求項４】
前記情報管理手段は、前記車検証情報に基づいて、前記車両の車検日が過ぎているかどうかを判定する判定手段を有し、
該判定手段により、前記車両の車検日が過ぎているとの判定がなされた場合、前記情報管理手段は、前記報知手段又は前記通信端末に前記車両の車検日情報を送信する、請求項３項記載の車検管理システム。
【請求項５】
前記通信手段から送信された前記車検証情報に含まれる車台番号情報と、前記情報管理手段が有する前記車両固有の車台番号情報との照合を行う車台番号照合手段を有し、
該車台番号照合手段により前記車台番号の不整合の判定がなされた場合、前記情報管理手段は、前記通信端末に前記車台番号の不整合情報を送信し、
前記通信端末は、受信した前記不整合情報を所有者に通知する、請求項３又は４記載の車検管理システム。
【請求項６】
前記情報記憶手段は、前記車両の使用者の電子化された免許証情報を格納し、
前記情報記憶手段に格納された免許証情報と、前記使用者が個別に所有する免許証に格納された免許証情報とは、前記読み取り手段によって読み取られ、
前記免許証から読み取った免許証情報が前記情報記憶手段に格納されているか否かを判定する記憶判定手段を有し、
該記憶判定手段が、前記免許証から読み取った免許証情報が前記情報記憶手段に格納されていないと判定した場合、前記情報管理手段は、前記報知手段又は前記通信端末に前記車両の運転の不許可情報を送信し、
前記報知手段又は前記通信端末は、受信した前記不許可情報を所有者に知らせる、請求項３から５までのいずれか１項記載の車検管理システム。
【請求項７】
前記車両は、当該車両の位置情報を検出する位置検出手段を有し、
前記情報管理手段は、前記位置検出手段によって検出された前記車両の位置情報と、当該車両の所有者が予め設定した前記車両の活動範囲情報との照合を行う位置照合手段を有し、
前記情報管理手段は、前記位置検出手段により検出された車両の位置が前記活動範囲外にある場合に、前記通信端末に注意喚起情報を送信し、
前記通信端末は、受信した前記注意喚起情報を前記所有者に通知する、請求項３から６までのいずれか１項記載の車検管理システム。
【請求項８】
前記判定手段により前記車両の車検日が過ぎているとの判定がなされた場合、
前記車台番号照合手段により前記車台番号の不整合の判定がなされた場合、
前記記憶判定手段により前記車両の運転不許可の判定がなされた場合、
前記位置照合手段により、前記車両の位置が前記活動範囲外にあるとの判定がなされた場合、の少なくともいずれか１つに該当する判定がなされた場合、前記車両の走行を不能にする車両走行阻害手段を有する、請求項４から７までのいずれか１項記載の車検管理システム。
【請求項９】
前記情報記憶手段は、電子化された前記車両の整備点検情報を格納し、
前記整備点検情報は前記読み取り手段によって読み取られ、当該情報は、前記報知手段又は前記通信端末によって所有者に知らされる、請求項１から８までのいずれか１項記載の車検管理システム。
【発明の詳細な説明】
【技術分野】
【０００１】
本発明は、車検日を管理する車検管理システムに関する。
【背景技術】
【０００２】
従来から、車検証情報を電子化することが行われている。例えば、車両に搭載される車載器のメモリに、「初度登録年」、「車台番号」、「車両寸法」等の車検証情報が予め格納されているものがある。これらの情報は、車両の検査ラインで測定された実際の車両データと比較して車両検査の合否を判定するために利用されている。その後、車両検査に合格した車両データに基づいて紙の車検証を発行している（例えば、特許文献１参照）。
【０００３】
また、車検証の内容をＩＣ化したＩＣ車検証をシステム端末で認証することで、車検日が過ぎている状態での運転のような車両の不正使用行為を防止しているものがある（例えば、特許文献２参照）。
【先行技術文献】
【特許文献】
【０００４】
【特許文献１】特開２００１−６７５００号公報
【特許文献２】特開２００８−１９５２５３号公報
【発明の概要】
【発明が解決しようとする課題】
【０００５】
しかし、上記特許文献１の構成にあっては、所有者が保有する車検証自体は紙のままであり、電子化された車検証情報は車検更新時にのみ活用されている。上記車検証情報を車検日の管理のために利用することについて考慮されておらず、仮に車検日が過ぎてしまうと、当該車両を検査場まで移動することが困難になるという問題がある。
【０００６】
また、上記特許文献２の構成にあっては、ＩＣ車検証を利用した、車検日が過ぎた後の当該車両の処置について考慮されているものの、ＩＣ車検証の情報を車検日の管理のために利用することについて考慮されていない。よって、仮に車検日が過ぎてしまうと、当該車両を検査場まで移動することが困難になるという問題がある。
【０００７】
そこで、本発明は、上記課題に鑑みてなされたものであり、所有者に車検日を知らせることができる、車検管理システムを提供することを目的としている。
【課題を解決するための手段】
【０００８】
上記課題を解決するため、本発明の車検管理システムは、電子化された車両の車検証情報を格納する情報記憶手段と、車両に搭載され、情報記憶手段に格納された車検証情報を読み取る読み取り手段と、車両に搭載され、読み取り手段によって読み取られた車検証情報を車両の所有者に報知する報知手段と、を有することを特徴としている。
【０００９】
本発明によれば、車両を使用する際に、車両の所有者に、報知手段によって自身の車両の車検日が知らされる。ここで、報知手段としては、カーナビゲーションの表示画面又はオーディオシステムの音声等が挙げられる。
【００１０】
この発明の一態様として、車両は外部と通信を行う通信手段を有し、車両の所有者に保有され、通信手段により送信された車検証情報に含まれる車検日情報を受信し、所有者に車検日を通知する通信端末を有することが好ましい。
【００１１】
この態様によれば、車両から離れた場所（例えば自宅）に居る車両の所有者に、通信端末によって車検日が知らされる。ここで、通信端末としては、所有者が保有している携帯電話やコンピュータ等が挙げられ、これらの機器の表示画面又はスピーカから発せられる音声によって所有者に知らされる。
【００１２】
この発明の一態様として、車両は外部と通信を行う通信手段を有し、通信手段から送信された車検証情報を受信し、所有者が保有する通信端末に、受信した車検日情報を送信する情報管理手段を有し、通信端末は、情報管理手段により送信された車検日情報を受信し、所有者に車検日を通知することが好ましい。
【００１３】
この態様によれば、車両の所有者に、通信端末によって自身の車両の検査日が知らされる。このとき、情報管理手段と通信端末とをインターネット等のネットワークを介して接続することで、車両から遠く離れた場所（例えば会社、旅行先等）に居る所有者に車検日が知らされる。
【００１４】
この発明の一態様として、情報管理手段は、車検証情報に基づいて、車両の車検日が過ぎているかどうかを判定する判定手段を有し、判定手段により、車両の車検日が過ぎているとの判定がなされた場合、情報管理手段は、報知手段又は通信端末に車両の車検日情報を送信することが好ましい。
【００１５】
この態様によれば、車両の所有者に、報知手段又は通信端末によって、自身の車両の検査日が既に過ぎていることが知らされる。このとき、所有者が今まさに当該車両を使用する状態にある場合には、車両に搭載されている機器の表示画面に車検日が過ぎていることが表示される。また、所有者が車両を使用する状態にない場合には、所有者が保有する通信端末の表示画面に車検日が過ぎていることが表示される。
【００１６】
この発明の一態様として、通信手段から送信された車検証情報に含まれる車台番号情報と、情報管理手段が有する車両固有の車台番号情報との照合を行う車台番号照合手段を有し、車台番号照合手段により車台番号の不整合の判定がなされた場合、情報管理手段は、通信端末に車台番号の不整合情報を送信し、通信端末は、受信した不整合情報を所有者に通知することが好ましい。
【００１７】
この態様によれば、情報管理手段と通信端末とをインターネット等のネットワークを介して接続することで、車両から離れた場所（例えば自宅、会社、旅行先等）に居る所有者に、通信手段から送信された車台番号情報と情報管理手段が有する車両固有の車台番号情報とが不整合であることが知らされる。
【００１８】
この発明の一態様として、情報記憶手段は車両の使用者の電子化された免許証情報を格納し、情報記憶手段に格納された免許証情報と、使用者が個別に所有する免許証に格納された免許証情報とは、読み取り手段によって読み取られ、免許証から読み取った免許証情報が情報記憶手段に格納されているか否かを判定する記憶判定手段を有し、記憶判定手段が、免許証から読み取った免許証情報が情報記憶手段に格納されていないと判定した場合、情報管理手段は、報知手段又は通信端末に車両の運転の不許可情報を送信し、報知手段又は通信端末は、受信した不許可情報を所有者に知らせることが好ましい。
【００１９】
この態様によれば、情報管理手段と通信端末とをインターネット等のネットワークを介して接続することで、車両から離れた場所（例えば自宅、会社、旅行先等）に居る所有者に、通信部から送信された２つの免許証情報（予め情報記憶部に格納された免許証情報と、読み取り手段に挿入された免許証の情報と）が異なることが知らされる。また、今まさに車両を運転している使用者には、２つの免許証情報が異なることが、車両に搭載されるカーナビゲーション等の機器の表示画面に表示して知らされる。
【００２０】
この発明の一態様として、車両は当該車両の位置情報を検出する位置検出手段を有し、情報管理手段は、位置検出手段によって検出された車両の位置情報と、当該車両の所有者が予め設定した車両の活動範囲情報との照合を行う位置照合手段を有し、情報管理手段は、位置検出手段により検出された車両の位置が活動範囲外にある場合に、通信端末に注意喚起情報を送信し、通信端末は、受信した注意喚起情報を所有者に通知することが好ましい。
【００２１】
この態様によれば、情報管理手段と通信端末とをインターネット等のネットワークを介して接続することで、車両から離れた場所（例えば自宅、会社、旅行先等）に居る所有者に、自身が意図しない場所に車両が運ばれていることが知らされる。
【００２２】
この発明の一態様として、判定手段により車両の車検日が過ぎているとの判定がなされた場合、車台番号照合手段により前記車台番号の不整合の判定がなされた場合、記憶判定手段により車両の運転不許可の判定がなされた場合、位置照合手段により、車両の位置が前記活動範囲外にあるとの判定がなされた場合、の少なくともいずれか１つに該当する判定がなされた場合、車両の走行を不能にする車両走行阻害手段を有することが好ましい。
【００２３】
この態様によれば、車両が不正使用されていると判定された場合、例えばエンジンを始動させないような制御を行うことで車両の走行が阻害される。
【００２４】
この発明の一態様として、情報記憶手段は電子化された車両の整備点検情報を格納し、整備点検情報は読み取り手段によって読み取られ、当該情報は、報知手段又は前記通信端末によって所有者に知らされることが好ましい。
【００２５】
この態様によれば、整備点検情報を知らせることができる。整備点検情報としては、例えば、車両の整備スタッフには過去の整備点検履歴、所有者には車両のメンテナンス時期、車両の購入者には当該車両の故障履歴や事故履歴が知らされる。
【発明の効果】
【００２６】
本発明によれば、所有者に車検日を知らせることができる。
【図面の簡単な説明】
【００２７】
【図１】本発明に係る車検管理システムの概念図である。
【図２】本発明に係る車検管理システムの構成を示すブロック図である。
【図３】本発明に係る車検管理システムにおける、車検証情報に含まれる車検日情報に関する処理の流れを示すフローチャートである。
【図４】本発明に係る車検管理システムにおける、車検証情報に含まれる車台番号情報に関する処理の流れを示すフローチャートである。
【図５】本発明に係る車検管理システムにおける、免許証情報に関する処理の流れを示すフローチャートである。
【図６】本発明に係る車検管理システムにおける、車両位置情報に関する処理の流れを示すフローチャートである。
【発明を実施するための形態】
【００２８】
本発明の好ましい実施形態について、図面を参照しながら説明する。なお、以下に示す実施形態は一つの例示であり、本発明の範囲において、種々の実施形態をとり得る。
【００２９】
＜車検管理システム＞
図１は、車検管理システムの概念図である。図１に示すように、車検システムは、車両１、情報管理部２、通信端末３を備える。車両１、情報管理部２、通信端末３は、それぞれ双方向で無線通信可能である。情報管理手段としての情報管理部２は、外部のデータ管理施設等に設けられる。情報管理部２は、インターネット等のネットワークを介して車両１及び通信端末３に接続される。通信端末３は、原則的に車両の所有者が保有する。通信端末３は、携帯電話等の外部通信可能な端末である。通信端末３は、車両１と直接通信可能である。
【００３０】
（車両）
車両１について説明する。車両１は、読み取り部４、位置検出部５、制御部６、報知部７、車両走行阻害部８、通信部９を備える。この読み取り部４、位置検出部５、制御部６、報知部７、車両走行阻害部８、通信部９には、車両１に搭載されるバッテリー（図示せず）から電源が供給される。バッテリーが完全に放電した場合や、バッテリーからの電源供給用配線が切断された場合等を考慮して、制御部６等に電池を内蔵してもよい。
【００３１】
読み取り手段としての読み取り部４は、情報記憶部１０及び免許証１１に格納された車検証情報等の情報を読み取り、当該情報を制御部６に送信する。
【００３２】
情報記憶手段としての情報記憶部１０には、電子化された車検証情報（車検日、車台番号等）、電子化された運転免許証情報（免許証番号、有効期限、免許種類等）、電子化された整備点検情報（整備点検履歴、部品交換履歴、故障履歴、事故履歴等）が格納される。情報記憶部１０はカード型記憶媒体であり、車両１に搭載される読み取り部４の挿入口（図示せず）に挿脱自在なものである。カード型記憶媒体は、基本的に読み取り部４に挿入されたまま使用される。しかし、例えば車検場では、読み取り部４から抜き取られたカード型記憶媒体を車検場に用意されたデータ書き込み装置（図示せず）に挿入すれば、このカード型記憶媒体に車検更新に伴う新たなデータが書き込まれる。同様に、運転免許更新時や整備点検時にも、読み取り部４から抜き取られたカード型記憶媒体に、運転免許更新や整備点検に伴う新たなデータが書き込まれる。なお、カード型記憶媒体を読み取り部４から抜き取らずに、読み取り部４に挿入したままの状態で、車検更新等に伴う新たなデータを書き込むこともできる。また、カード型記憶媒体には、事後的に、車両の所有者が意図した者の運転免許証情報を追加で書き込むことができる。
【００３３】
免許証１１は、使用者が個別に保有する。免許証１１には、電子化された免許証番号、有効期限、免許種類等の免許証情報が格納されている。免許証１１は、車両１を使用する際、読み取り部４の挿入口（図示せず）に挿入される。
【００３４】
位置検出手段としての位置検出部５は、車両１に搭載されるＧＰＳシステムである。位置検出部５は、車両の現在位置を検出し、その位置情報を制御部６に送信する。
【００３５】
制御部６は、読み取り部４及び位置検出部５から入力された情報に基づき、報知部７、車両走行阻害部８、及び通信部９へ出力する情報を制御する。また、制御部６には、後述する情報管理部２から送信された情報を受信した通信部９からも情報が入力される。この場合、制御部６は、報知部７及び車両走行阻害部８へ出力する情報を制御する。また、制御部６は、報知部７による所有者への報知制御、車両走行阻害部８の駆動の制御、通信部９による通信の制御も行う。
【００３６】
報知手段としての報知部７は、車両１に搭載されるカーナビゲーションの表示画面又はオーディオシステムのスピーカ等である。報知部７は、制御部６から出力された情報に基づいて、車両１の車検日、免許証情報の不整合に基づく車両１の運転不許可情報、車両１の整備点検情報を所有者や使用者に知らせる。
【００３７】
車両走行阻害手段としての車両走行阻害部８は、制御部６によって、車両１の不正使用が行われていると判定された場合に当該車両１の走行を阻害する。車両走行阻害部８は、例えばエンジン（図示せず）の始動をできなくする制御をして、完全に車両１の運転を出来なくすることができる。また、イモビライザーにおける車両１側のＩＤコードを、所有者が保有する専用鍵（図示せず）のＩＤコードと一致しないように一時的に変更して、車両１の運転を出来なくすることもできる。また、車両走行阻害部８は、例えば車両１の走行速度が一定以上にならないようにトランスミッション等のパワートレインを制御して、車検場まで走行できる程度に一部の機能を制限することができる。なお、このようにして走行が阻害された車両は、所有者又は車検場の検査員等による所定の処置により、通常の走行ができるようになる。
【００３８】
通信手段としての通信部９は、車両１に搭載される制御部６との間でブルートゥース（ＢＬＵＥＴＯＯＴＨ<登録商標>）や赤外線等を介して必要な情報の送受信を行う。また、通信部９は、車両１のアンテナ（図示せず）を介して、外部の情報管理部２及び通信端末３と情報の送受信を行う。
【００３９】
（情報管理部）
情報管理部２について説明する。情報管理部２は、データベース１２、判定部１３、車台番号照合部１４、位置照合部１５を備える。
【００４０】
データベース１２には、車検証情報として、例えば「車両番号」、「初度登録年月」、「車台番号」、「型式」、「所有者の氏名、住所」、「有効期限」、「車両重量」、「車両寸法」等の情報が格納される。
【００４１】
判定部１３は、車両１の通信部９から送信された車検証情報に含まれる車検日情報とデータベース１２に格納された車両１の車検日情報とを照合して、当該車両１の車検日が過ぎているかどうかの判定をする。また、判定部１３は、車両１の通信部９から送信された２つの免許証情報（予め情報記憶部１０に格納された免許証情報と、読み取り部４に挿入された車両１の使用者の免許証情報と）を照合する。そして、読み取り部４に挿入された車両１の使用者の免許証が、車両１の所有者によって予め情報記憶部１０に格納された免許証情報と一致するかの判定を行う。したがって、判定部１３は、判定手段及び記憶判定手段として機能する。なお、判定部１３は車両１に搭載されていてもよい。
【００４２】
車台番号照合部１４は、車両１の通信部９から送信された車検証情報に含まれる車台番号情報とデータベース１２に格納された車両１の車台番号情報とを照合し、車検証情報が一致するかどうかを判定する。車両固有の車台番号は車両のフレーム自体に刻印されており第三者に容易に知れるため、この車台番号を知った第三者が車検証情報を偽造する場合を考慮する必要がある。よって、車台番号照合部１４は、複数の車検証情報を組み合わせて全ての車検証情報が一致するかどうかの判定をする。したがって、車台番号照合部１４は、車台番号照合手段として機能する。なお、車両１のフレーム自体に車台番号を刻印せず、車台番号は情報記憶部１０に電子化して格納しておくことが好ましい。
【００４３】
位置照合部１５は、通信部９から送信された車両１の位置情報とデータベース１２に格納された車両１の活動範囲情報とを照合する。そして、車両１の所有者が意図してない活動範囲に車両１が運ばれていないかどうかの判定を行う。したがって、位置照合部１５は、位置照合手段として機能する。なお、車両１の活動範囲は、予め所有者によって設定される。
【００４４】
情報管理部２は、判定部１３、車台番号照合部１４、位置照合部１５による照合結果に基づいて、車両１の通信部９、車両１の所有者が保有する通信端末３に、当該照合結果を送信する。例えば、情報管理部２は、通信部９から送信された車検証情報を受信し、所有者が保有する通信端末３に、受信した車検日情報を送信する。また、情報管理部２は、判定部１３により、車両１の車検日が過ぎているとの判定がなされた場合、報知部７又は通信端末３に車両１の車検日情報を送信する。また、情報管理部２は、車台番号照合部１４により車台番号の不整合の判定がなされた場合、通信端末３に車台番号の不整合情報を送信する。また、情報管理部２は、判定部１３が、免許証から読み取った免許証情報が情報記憶部１０に格納されていないと判定した場合、報知部７又は通信端末３に車両１の運転の不許可情報を送信する。また、情報管理部２は、位置検出部５により検出された車両１の位置が予め設定した所有者の活動範囲外にある場合に、通信端末３に注意喚起情報を送信する。
【００４５】
（通信端末）
通信端末３について説明する。通信端末３は、情報管理部２と通信することができる。また、通信端末３は、車両１の通信部９と通信することができる。携帯電話等を通信端末３として使用する場合、通信端末３は、情報管理部２や通信部９から送信される車検日等の情報を、車両１の所有者に表示画面、音、振動により知らせる。
【００４６】
図２は、車検管理システムの構成を示すブロック図である。車両１において、読み取り部４及び位置検出部５から送信された情報が、制御部６に入力される。また、情報管理部２から送信された情報は、通信部９を介して制御部６に入力される。その後、制御部６で所定の制御がなされた後、制御部６は、必要に応じて、報知部７、車両走行阻害部８、通信部９に情報の出力を行う。制御部６からの情報を受信した通信部９は、必要に応じて、情報管理部２や通信端末３に情報を送信する。
【００４７】
＜車検日情報の処理＞
図３は、車検証情報のうち車検日情報に関する処理の流れを示すフローチャートである。まず、制御部６は、情報記憶部１０としてのカード型記憶媒体が読み取り部４に挿入されているかどうかの判定をする（Ｓ１００）。この結果、カード型記憶媒体が読み取り部４に挿入されていないと判定された場合（Ｓ１００：ＮＯ）、制御部６は、車両１の使用不許可の決定をする（Ｓ１０１）。車両１の使用不許可の決定後、制御部６は、車両走行阻害部８に、車両１の走行を完全に阻害するか又は車両１の走行機能の一部だけを阻害するかの情報を送信する。その後、処理は終了する（Ｓ１４０）。
【００４８】
なお、以下のフローチャートにおいて、制御部６により車両１の使用不許可決定がなされた後、制御部６は、車両１の走行を完全に阻害するか又は車両１の走行機能の一部だけを阻害するかの情報を送信する。
【００４９】
一方、ステップＳ１００において、カード型記憶媒体が読み取り部４に挿入されていると判定された場合（Ｓ１００：ＹＥＳ）、制御部６は判定部１３と通信を行い、カード型記憶媒体に格納された車検日が有効期限内であるかどうかの判定をする（Ｓ１１０）。この結果、カード型記憶媒体に格納された車検日が有効期限内にないと判定された場合（Ｓ１１０：ＮＯ）、制御部６は、車両１の使用不許可の決定をする（Ｓ１１１）。その後、処理は終了する（Ｓ１４０）。
【００５０】
一方、ステップＳ１１０において、カード型記憶媒体に格納された車検日が有効期限内であると判定された場合（Ｓ１１０：ＹＥＳ）、制御部６は、車検日の有効期限まで２０日以内であるかどうかの判定を行う（Ｓ１２０）。この結果、車検日の有効期限まで２０日以内でないと判定された場合（Ｓ１２０：ＮＯ）、制御部６は、車両１の使用許可の決定をする（Ｓ１２１）。その後、処理は終了する（Ｓ１４０）。なお、ここで示した２０日という期間は例示に過ぎず、有効期限までの残日数については所有者が適宜設定を変更することができる。
【００５１】
一方、ステップＳ１２０において、車検日の有効期限日まで２０日以内であると判定された場合（Ｓ１２０：ＹＥＳ）、制御部６は、車両１に搭載されるカーナビゲーションの表示画面等（報知部７）に、車検日が間近に迫っている旨の報知を行う（Ｓ１３０）。また、制御部６は、車両１の所有者が保有する携帯電話等（通信端末３）に、車検日が間近に迫っている旨の通知を行う（Ｓ１３０）。所有者が今まさに車両１を運転する状態にある場合には、上記車検日情報をカーナビゲーションの表示画面等に表示することが好ましい。車両１の所有者が車両１を運転する状態にない場合には、上記車検日情報を携帯電話等の通信端末３に通知することが好ましい。
【００５２】
ステップＳ１３０の処理後、制御部６は、車両１の使用許可の決定をする（Ｓ１２１）。その後、処理は終了する（Ｓ１４０）。
【００５３】
＜車台番号情報の処理＞
図４は、車検証情報のうち車台番号情報に関する処理を示すフローチャートである。制御部６は、読み取り部４に挿入されたカード型記憶媒体（情報記憶部１０）から車台番号情報を読み取る。この情報は、通信部９を介して情報管理部２に送信される。情報管理部２の判定部１３では、データベース１２に格納された車台番号情報と、通信部９から送信されてきた車台番号情報とが一致するかどうかの判定がなされる（Ｓ２００）。この結果、２つの車台番号が一致していないと判定された場合（Ｓ２００：ＮＯ）、情報管理部２は、この不整合情報を所有者が保有する携帯電話等（通信端末３）に送信する（Ｓ２０１）。この情報を受信した携帯電話等の通信端末３は、所有者に対して当該不整合情報を表示等により通知する（Ｓ２０２）。さらに、情報管理部２は、車両１の通信部９を介して制御部６に上記不整合情報を送信する。この情報を受信した制御部６は、車両１の使用不許可の決定をする（Ｓ２０３）。その後、処理は終了する（Ｓ２１０）。
一方、ステップＳ２００において、２つの車台番号が一致していると判定された場合（Ｓ２００：ＹＥＳ）、処理は終了する（Ｓ２１０）。
【００５４】
＜免許証情報の処理＞
図５は、免許証情報に関する処理を示すフローチャートである。まず、制御部６は、運転者が保有する免許証１１が読み取り部４に挿入されているかどうかの判定をする（Ｓ３００）。この結果、免許証１１が読み取り部４に挿入されていないと判定された場合（Ｓ３００：ＮＯ）、制御部６は、車両１の使用不許可の決定をする（Ｓ３０１）。その後、処理は終了する（Ｓ３５０）。
【００５５】
一方、ステップＳ３００において、免許証１１が読み取り部４に挿入されていると判定された場合（Ｓ３００：ＹＥＳ）、制御部６は、免許証１１が有効期限内のものであるかどうかの判定をする（Ｓ３１０）。この結果、免許証１１が有効期限内のものではないと判定された場合（Ｓ３１０：ＮＯ）、制御部６は、通信部９を介して免許証１１が有効期限切れであるとの情報を所有者が保有する携帯電話等（通信端末３）に送信する（Ｓ３１１）。この情報を受信した携帯電話等の通信端末３は、所有者に対して当該有効期限切れ情報を表示等により通知する（Ｓ３１２）。さらに、有効期限切れの免許証１１により車両１が運転されることを防ぐため、制御部６は、車両１の使用不許可の決定をする（Ｓ３１３）。その後、処理は終了する（Ｓ３５０）。
【００５６】
一方、ステップＳ３１０において、免許証１１が有効期限内のものであると判定された場合（Ｓ３１０：ＹＥＳ）、制御部６は判定部１３と通信し、車両１の通信部９から送信された２つの免許証情報（予め情報記憶部１０に格納された免許証情報と、読み取り手段４に挿入された車両１の使用者の免許証１１の情報と）を照合する。そして、読み取り手段４に挿入された運転者の免許証１１が、車両１の所有者によって予め情報記憶部１０に格納された免許証情報と一致するかの判定を行う（Ｓ３２０）。この結果、上記２つの免許証情報が一致していないと判定された場合（Ｓ３２０：ＮＯ）、制御部６は、車両１の使用不許可の決定をする（Ｓ３２１）。その後、処理は終了する（Ｓ３５０）。
【００５７】
一方、ステップＳ３２０において、上記２つの免許証情報が一致していると判定された場合（Ｓ３２０：ＹＥＳ）、制御部６は、免許証１１に格納された免許種類情報と情報記憶部１０に格納された車検証情報のうち自動車の種別情報とが一致するかどうかの判定をする（Ｓ３３０）。この結果、例えば免許証の種類が中型自動車であり、車検証情報の自動車の種別が大型自動車である場合（Ｓ３３０：ＮＯ）には、これらの情報が一致していないと判定され、制御部６は車両１の使用不許可の決定をする（Ｓ３３１）。その後、制御は終了する（Ｓ３５０）。
一方、ステップＳ３３０において、免許証１１の種類情報と車検証情報の自動車の種別情報とが一致していると判定された場合（Ｓ３３０：ＹＥＳ）、制御部６は、車両１の使用許可の決定をする（Ｓ３４０）。その後、処理は終了する（Ｓ３５０）。
【００５８】
＜車両位置情報の処理＞
図６は、車両位置情報に関する処理を示すフローチャートである。制御部６は、位置検出部５によって検出された車両１の位置情報の入力を受ける。制御部６は、当該位置情報を、通信部９を介して情報管理部２に送信する。情報管理部２のデータベース１２には、車両１の所有者が予め決めた車両１の活動範囲情報が格納されている。情報管理部２の位置照合部１５は、受信した車両１の位置情報と、データベース１２に格納されている車両１の活動範囲情報とが一致しているかどうかの判定を行う（Ｓ４００）。この結果、２つの位置情報が一致していないと判定された場合（Ｓ４００：ＮＯ）、情報管理部２は、この位置情報を注意喚起情報として所有者が保有する携帯電話等（通信端末３）に送信する（Ｓ４０１）。この情報を受信した携帯電話等の通信端末３は、所有者に対して、当該注意喚起情報を表示等により通知する（Ｓ４０２）。さらに、情報管理部２は、車両１の通信部９を介して制御部６に注意喚起情報を送信する。この情報を受信した制御部６は、車両１の使用不許可の決定をする（Ｓ４０３）。その後、処理は終了する（Ｓ４１０）。
一方、ステップＳ４００において、２つの位置情報が一致していると判定された場合（Ｓ４００：ＹＥＳ）、制御は終了する（Ｓ４１０）。
【００５９】
＜実施形態の効果＞
上述した構成によれば、車両１に、読み取り部４によって読み取られた車検証情報を車両の所有者に報知する報知部７が設けられるので、車両１を使用する際に、車両１の所有者は、報知部７としてのカーナビゲーションの表示画面又はオーディオシステムの音声等によって、車検日が過ぎる前に自身の車両１の検査日を確実に知ることができる。このようにして、所有者は、意図せず車検を切らしてしまうことを防ぐことができる。
【００６０】
また、所有者が車検日情報を受信できる通信端末３を有するので、所有者は、車両から離れた場所（例えば自宅）に居ながらにして、通信端末３としての携帯電話等の表示画面又は音声等によって自身の車両１の検査日を知ることができる。これにより、多忙により車両１の使用する機会が少なかったとしても、所有者は、車検日が過ぎる前に自身の車両１の検査日を確実に知ることができる。
【００６１】
また、所有者が保有する通信端末３に車検日情報を送信する情報管理部２を有するので、多忙により車両１を使用する機会が少なくても、車両の所有者は、通信端末３としての携帯電話等の表示画面又は音声等によって自身の車両１の検査日を確実に知ることができる。情報管理部２と通信端末３とはインターネット等のネットワークを介して接続されているので、車両１から遠く離れた場所（例えば会社、旅行先等）に居ながらにして、所有者は、車検日が過ぎる前に自身の車両１の検査日を確実に知ることができる。
【００６２】
また、車両１の車検日が過ぎているかどうかを判定する判定部１３を有するので、車両１の所有者は、報知部７としてのカーナビゲーションの表示画面等又は通信端末３としての携帯電話等の表示画面等によって、自身の車両１の検査日が既に過ぎていることを知ることができる。所有者が今まさに当該車両１を使用する状態にある場合には、カーナビゲーションの表示画面等に車検日が過ぎていることが表示等されるので、所有者は車検切れの車両１による不正走行を未然に防ぐことができる。また、所有者が車両１を使用する状態にない場合には、所有者が保有する携帯電話等の通信端末３の表示画面等に車検日が過ぎていることが表示等されるので、所有者は迅速に車検手続きの準備を行うことができる。
【００６３】
また、通信部９から送信された車台番号情報と情報管理部２が有する車両１固有の車台番号情報との照合を行う車台番号照合部１４を有するので、情報管理部２と通信端末３とをインターネット等のネットワークを介して接続することで、車両１から離れた場所（例えば自宅、会社、旅行先等）に居ながらにして、所有者は、車検証１１の偽造等により車両１が不正使用されていることを知ることができる。これにより、所有者は、車両１の盗難、不正転売等を未然に防ぐ対応を取ることができる。
【００６４】
また、免許証１１から読み取った免許証情報が情報記憶部１０に格納されている情報か否かを判定する記憶判定部１３を有するので、情報管理部２と通信端末３とをインターネット等のネットワークを介して接続することで、車両１から離れた場所（例えば自宅、会社、旅行先等）に居ながらにして、所有者は、免許証１１の偽造等により自身の車両１が不正使用されていることを知ることができる。これにより、所有者は、車両１の盗難、不正転売等を未然に防ぐ対応を取ることができる。なお、不正使用には、車両１の盗難のみならず、所有者が予定していない者（家族、知人等）による使用も含まれる。このように、所有者が予め免許証情報を情報記憶部１０に格納することで、例えば任意保険の対象外の者による車両１の使用を未然に防ぐことができる。
【００６５】
また、位置検出部５によって検出された車両１の位置情報と当該車両１の所有者が予め設定した車両１の活動範囲情報との照合を行う位置照合部１５を有するので、情報管理部２と通信端末３とをインターネット等のネットワークを介して接続することで、車両１から離れた場所（例えば自宅、会社、旅行先等）に居ながらにして、所有者は、自身が意図しない場所に車両１が運ばれていることを知ることができる。よって、所有者は、車両１の盗難、不正転売等を未然に防ぐ対応を取ることができる。また、車両１の位置情報に基づき、自身の車両１が今どこにあるのかを把握できるため、その後の不正転売経路を特定することができる。
【００６６】
また、車両走行阻害部８を有しているので、車両が不正使用されていると判定された場合、例えばエンジンを始動させないような制御を行うことで車両の走行を阻害することができる。その他、トランスミッション等のパワートレインを制御して、車検場まで走行できる程度に一部の機能を制限することができる。これにより、所有者は、車両１の盗難、不正転売等を未然に防ぐ対応を取ることができる。
【００６７】
また、情報記憶部１０は電子化された車両の整備点検情報を格納しているので、車両の整備スタッフは過去の整備点検履歴を、所有者は部品交換時期を、車両の購入者は当該車両の故障履歴や事故履歴を、確実に知ることができる。
【００６８】
また、車検証情報を情報管理部２のデータベース１２に格納しておくことで、今まで車検場のスタッフの手入力により行われていた、車検更新時に必要な事務手続きを著しく減らすことができる。
【００６９】
また、情報記憶部１０には、車両１の所有者の氏名、住所などの個人情報が格納されているため、車両１が不正転売された場合の所有権争いを迅速に解決することができる。
【符号の説明】
【００７０】
１  車両
２  情報管理部
３  通信端末
４  読み取り部
５  位置検出部
６  制御部
７  報知部
８  車両走行阻害部
９  通信部
１０  情報記憶部
１１  免許証
１２  データベース
１３  判定部
１４  車台番号照合部
１５  位置照合部
【図１】
2015134532.tif 000003
【図２】
2015134532.tif 000004
【図３】
2015134532.tif 000005
【図４】
2015134532.tif 000006
【図５】
2015134532.tif 000007
【図６】
2015134532.tif 000008
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
電子化された車両の車検証情報を格納する情報記憶手段と、
前記車両に搭載され、挿脱自在な前記情報記憶手段に格納された前記車検証情報を読み取る読み取り手段と、
前記読み取り手段によって読み取られた前記車検証情報を前記車両の所有者に報知する報知手段と、
前記車両に搭載され、前記車両の走行機能の少なくとも一部を阻害する車両走行阻害手段と、
前記車両に搭載され、少なくとも前記報知手段及び前記車両走行阻害手段を制御する制御手段と、を備え、
前記読み取り手段に前記情報記憶手段が挿入されていない場合、前記制御手段は、前記車両の走行を完全に阻害するように前記車両走行阻害手段を制御し、
前記読み取り手段で読み取った前記車検証情報に基づいて前記車両の車検日が過ぎている場合、前記制御手段は、前記車両の車検日を所有者に報知するように前記報知手段を制御するとともに、前記車両の走行機能の一部を阻害するように前記車両走行阻害手段を制御することを特徴とする車検管理システム。
【請求項２】
前記車両は、外部と通信を行う通信手段を有し、
前記車両の所有者に保有され、前記通信手段により送信された前記車検証情報に含まれる車検日情報を受信し、前記所有者に車検日を通知する通信端末を有する、請求項１記載の車検管理システム。
【請求項３】
前記読み取り手段で読み取った前記車検証情報に基づいて前記車両の車検日までの日数が所定日数以内である場合、
前記制御手段は、前記車両の車検日を所有者に報知するように前記報知手段を制御するか、又は前記通信端末に前記車両の車検日情報を送信するように前記通信手段を制御する、請求項２記載の車検管理システム。
【請求項４】
前記車両は、外部と通信を行う通信手段を有し、
該通信手段から送信された前記車検証情報を受信し、前記所有者が保有する通信端末に、受信した車検日情報を送信する情報管理手段を有し、
前記通信端末は、前記情報管理手段により送信された前記車検日情報を受信し、前記所有者に車検日を通知する、請求項１から３までのいずれか１項記載の車検管理システム。
【請求項５】
前記情報管理手段は、前記車検証情報に基づいて、前記車両の車検日が過ぎているかどうかを判定する判定手段を有し、
該判定手段により、前記車両の車検日が過ぎているとの判定がなされた場合、
前記情報管理手段は、前記報知手段又は前記通信端末に前記車両の車検日情報を送信する、請求項４項記載の車検管理システム。
【請求項６】
前記判定手段は、前記車両の車検日までの日数が所定日数以内であるかどうかを判定し、
前記判定手段によって、前記車両の車検日までの日数が所定日数以内であるとの判定がなされた場合、
前記情報管理手段は、前記報知手段及び前記通信端末の少なくとも一方に前記車両の車検日情報を送信する、請求項５記載の車検管理システム。
【請求項７】
前記通信手段から送信された前記車検証情報に含まれる車台番号情報と、前記情報管理手段が有する前記車両固有の車台番号情報との照合を行う車台番号照合手段を有し、
該車台番号照合手段により車台番号の不整合の判定がなされた場合、
前記情報管理手段は、前記通信端末に前記車台番号の不整合情報を送信して、前記不整合情報を所有者に通知させ、
前記制御手段は、前記不整合情報に基づいて、前記車両の走行を完全に阻害するように前記車両走行阻害手段を制御する、請求項４から６までのいずれか１項記載の車検管理システム。
【請求項８】
前記車両は、当該車両の位置情報を検出する位置検出手段を有し、
前記情報管理手段は、前記位置検出手段によって検出された前記車両の位置情報と、当該車両の所有者が予め設定した前記車両の活動範囲情報との照合を行う位置照合手段を有し、
前記情報管理手段は、前記位置検出手段により検出された車両の位置が予め設定された活動範囲外にある場合に、前記通信端末に注意喚起情報を送信して、前記注意喚起情報を所有者に通知させ、
前記制御手段は、前記注意喚起情報に基づいて、前記車両の走行を完全に阻害するように前記車両走行阻害手段を制御する、請求項４から７までのいずれか１項記載の車検管理システム。
【請求項９】
前記情報記憶手段は、前記車両の使用者の電子化された免許証情報を格納し、
前記情報記憶手段に格納された免許証情報と、前記使用者が個別に所有する免許証に格納された免許証情報とは、前記読み取り手段によって読み取られ、
前記免許証から読み取った免許証情報が前記情報記憶手段に格納されていない場合、
前記制御手段は、前記車両の運転の不許可情報を前記車両の所有者に報知するように前記報知手段を制御するか、又は前記通信端末に前記不許可情報を送信するように前記通信手段を制御し、
前記制御手段は、前記不許可情報に基づき、前記車両の走行機能の少なくとも一部を阻害するために前記車両走行阻害手段を制御する、請求項２から８までのいずれか１項記載の車検管理システム。
【請求項１０】
前記情報記憶手段は、電子化された前記車両の整備点検情報を格納し、
前記整備点検情報は前記読み取り手段によって読み取られ、当該情報は、前記報知手段又は前記車両の所有者に保有される通信端末によって所有者に知らされる、請求項１から９までのいずれか１項記載の車検管理システム。
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
電子化された車両の車検証情報を格納する情報記憶手段と、
前記車両に搭載され、挿脱自在な前記情報記憶手段に格納された前記車検証情報を読み取る読み取り手段と、
前記車両に搭載され、前記読み取り手段によって読み取られた前記車検証情報を前記車両の所有者に報知する報知手段と、
前記車両に搭載され、前記車両の走行機能の少なくとも一部を阻害する車両走行阻害手段と、
前記車両に搭載され、少なくとも前記報知手段及び前記車両走行阻害手段を制御する制御手段と、を備え、
前記読み取り手段に前記情報記憶手段が挿入されていない場合、前記制御手段は、前記車両の走行を完全に阻害するように前記車両走行阻害手段を制御し、
前記読み取り手段で読み取った前記車検証情報に基づいて前記車両の車検日が過ぎている場合、前記制御手段は、前記車両の車検日を所有者に報知するように前記報知手段を制御するとともに、前記車両の走行機能の一部を阻害するように前記車両走行阻害手段を制御し、
前記車両は、外部と通信を行う通信手段を有し、
前記車両の所有者に保有され、前記通信手段により送信された前記車検証情報に含まれる車検日情報を受信し、前記所有者に車検日を通知する通信端末を有し、
前記車両の所有者が前記車両を運転する状態にある場合、前記制御手段は、前記車両の車検日を所有者に報知するように前記報知手段を制御し、
前記車両の所有者が前記車両を運転する状態にない場合、前記制御手段は、前記車両の車検日を前記通信端末に通知するように前記通信手段を制御することを特徴とする車検管理システム。
【請求項２】
前記読み取り手段で読み取った前記車検証情報に基づいて前記車両の車検日までの日数が所定日数以内である場合、
前記制御手段は、前記車両の車検日を所有者に報知するように前記報知手段を制御するか、又は前記通信端末に前記車両の車検日情報を送信するように前記通信手段を制御する、請求項１記載の車検管理システム。
【請求項３】
前記車両は、外部と通信を行う通信手段を有し、
該通信手段から送信された前記車検証情報を受信し、前記所有者が保有する通信端末に、受信した車検日情報を送信する情報管理手段を有し、
前記通信端末は、前記情報管理手段により送信された前記車検日情報を受信し、前記所有者に車検日を通知する、請求項１又は２記載の車検管理システム。
【請求項４】
前記情報管理手段は、前記車検証情報に基づいて、前記車両の車検日が過ぎているかどうかを判定する判定手段を有し、
該判定手段により、前記車両の車検日が過ぎているとの判定がなされた場合、
前記情報管理手段は、前記報知手段又は前記通信端末に前記車両の車検日情報を送信する、請求項３項記載の車検管理システム。
【請求項５】
前記判定手段は、前記車両の車検日までの日数が所定日数以内であるかどうかを判定し、
前記判定手段によって、前記車両の車検日までの日数が所定日数以内であるとの判定がなされた場合、
前記情報管理手段は、前記報知手段及び前記通信端末の少なくとも一方に前記車両の車検日情報を送信する、請求項４記載の車検管理システム。
【請求項６】
前記通信手段から送信された前記車検証情報に含まれる車台番号情報と、前記情報管理手段が有する前記車両固有の車台番号情報との照合を行う車台番号照合手段を有し、
該車台番号照合手段により車台番号の不整合の判定がなされた場合、
前記情報管理手段は、前記通信端末に前記車台番号の不整合情報を送信して、前記不整合情報を所有者に通知させ、
前記制御手段は、前記不整合情報に基づいて、前記車両の走行を完全に阻害するように前記車両走行阻害手段を制御する、請求項３から５までのいずれか１項記載の車検管理システム。
【請求項７】
前記車両は、当該車両の位置情報を検出する位置検出手段を有し、
前記情報管理手段は、前記位置検出手段によって検出された前記車両の位置情報と、当該車両の所有者が予め設定した前記車両の活動範囲情報との照合を行う位置照合手段を有し、
前記情報管理手段は、前記位置検出手段により検出された車両の位置が予め設定された活動範囲外にある場合に、前記通信端末に注意喚起情報を送信して、前記注意喚起情報を所有者に通知させ、
前記制御手段は、前記注意喚起情報に基づいて、前記車両の走行を完全に阻害するように前記車両走行阻害手段を制御する、請求項３から６までのいずれか１項記載の車検管理システム。
【請求項８】
前記情報記憶手段は、前記車両の使用者の電子化された免許証情報を格納し、
前記情報記憶手段に格納された免許証情報と、前記使用者が個別に所有する免許証に格納された免許証情報とは、前記読み取り手段によって読み取られ、
前記免許証から読み取った免許証情報が前記情報記憶手段に格納されていない場合、
前記制御手段は、前記車両の運転の不許可情報を前記車両の所有者に報知するように前記報知手段を制御するか、又は前記通信端末に前記不許可情報を送信するように前記通信手段を制御し、
前記制御手段は、前記不許可情報に基づき、前記車両の走行機能の少なくとも一部を阻害するために前記車両走行阻害手段を制御する、請求項１から７までのいずれか１項記載の車検管理システム。
【請求項９】
前記情報記憶手段は、電子化された前記車両の整備点検情報を格納し、
前記整備点検情報は前記読み取り手段によって読み取られ、当該情報は、前記報知手段又は前記車両の所有者に保有される通信端末によって所有者に知らされる、請求項１から８までのいずれか１項記載の車検管理システム。